(57)【要約】【課題】コントローラとスクリーンとの間がＬＶＤＳ信号による1対1の接続のため、スクリーンを構成するユニット制御基板は、入力回路と別に出力回路が必要であり、複数のユニット制御基板が接続された状態で前段のユニット制御基板のケーブルが外れると、それ以降のユニット制御基板の映像伝送が途絶えてしまう問題があった。【解決手段】コントローラ1内にＬＶＤＳインタフェース出力回路１１、スクリーン２のユニット制御基板２１内にＬＶＤＳインタフェース入力回路２１１を設け、コントローラ１とスクリーン２間の映像伝送をＬＶＤＳ信号を伝送するバス３で行い、かつ、ＬＶＤＳでの伝送において垂直同期信号ＳＶ、水平同期信号ＳＨ、データ・イネーブル信号ＤＥ、映像データＤｇの映像系の信号とは別にコマンド情報などの映像制御データＤｃを多重化して伝送するようにした。【選択図】図１
2015090461.tif 000002
【特許請求の範囲】
【請求項１】
入力した映像信号に対して所定の処理を行った映像データを出力するコントローラと、前記コントローラからの映像データに基づき映像を表示する複数のユニット制御基板と複数の表示ユニットからなるスクリーンで構成された映像装置において、
前記コントローラは映像信号を低電圧差動シグナリング（ＬＶＤＳ）信号として前記スクリーンに出力するＬＶＤＳインタフェース出力回路を内蔵し、前記スクリーンの複数のユニット制御基板は前記コントローラのＬＶＤＳインタフェース出力回路とそれぞれバスで接続されたＬＶＤＳインタフェース入力回路を内蔵し、前記ＬＶＤＳインタフェース出力回路は前記ＬＶＤＳインタフェース入力回路に対して、前記バスを介して垂直同期信号、水平同期信号、データ・イネーブル信号、複数ビットの映像データと、前記映像データとは別の映像制御データを多重化して伝送するようにしたことを特徴とする映像装置。
【請求項２】
前記映像制御データは、前記垂直同期信号と前記データ・イネーブル信号の組み合わせで判別されたヘッダー部と映像データ部のうち、前記ヘッダー部に含ませて伝送するようにした請求項１に記載の映像装置。
【請求項３】
前記映像制御データには、輝度情報とクリア・コマンドを含み、前記輝度情報に従って前記スクリーンが映像の明るさを変化させ、前記クリア・コマンドに従って前記スクリーンが映像出力をＯＮまたはＯＦＦするようにした請求項１または請求項２に記載の映像装置。
【請求項４】
前記映像制御データには、ＰＡＬ規格またはＮＴＳＣ規格の映像規格情報を含み、前記映像規格情報に従って前記ユニット制御基板が情報映像を更新することを特徴とする請求項１〜請求項３のいずれか１項に記載の映像装置。
【請求項５】
前記映像制御データには、Ｘワード情報とＹライン情報を含み、前記Ｘワード情報とＹライン情報に従って前記表示ユニットに表示される画面の大きさが可変可能であることを特徴と請求項１〜請求項４のいずれか１項に記載の映像装置。
【発明の詳細な説明】
【技術分野】
【０００１】
この発明は、コントローラと複数の表示ユニットで構成されたスクリーンとを持った映像装置に関するものである。
【背景技術】
【０００２】
最近のデータ転送技術として、低電圧差動シグナリング（Low Voltage Differential Signaling、以下ＬＶＤＳという）を利用したものが普及している。ＬＶＤＳは低電圧差動方式の信号伝送であり、高速で大容量のデータが転送可能である。
パソコンの本体と表示部との間のデータ伝送においても、このＬＶＤＳを利用したものが知られており、本体から水平同期信号、垂直同期信号、およびイネーブル信号の信号線の中から使用されていない信号線を用いて、表示部に調光信号を伝送するようにしたものがある（特許文献１参照）。
【０００３】
また、液晶モジュールのような平面ディスプレイシステムにおいて、画像信号伝送源から画像を形成するためのディスプレイ信号を出力する複合ドライブ集積回路まで、画像データを含む画像信号を伝送するためのインタフェースをＬＶＤＳ技術を用いて行うことが知られている（特許文献２参照）。
【０００４】
このように従来の映像装置におけるコントローラ〜表示ユニット間の映像伝送として、ＬＶＤＳを利用したものもあるが、ＬＶＤＳが１対１形式の伝送であるため、バス形式での伝送はできなかった。
【０００５】
図５はこの発明と同じ映像装置システムにＬＶＤＳを使用した従来の構成図であり、ＬＶＤＳが1対1の接続のため、コントローラ１とスクリーン２とを接続するＬＶＤＳ伝送用ケーブル５は、まずコントローラ１とスクリーン２内の第１のユニット制御基板２１ａとを接続し、次に第１のユニット制御基板２１ａと第２のユニット制御基板２１ｂとの間、次に第２のユニット制御基板２１ｂと第３のユニット制御基板２１ｃとの間、・・・・というように、各ユニット制御基板２１（一般化する場合は添字ａ〜ｎは省略）はＬＶＤＳの入力回路２１５と出力回路２１６をそれぞれ設けて、複数のユニット制御基板２１を直列に接続していた。
【先行技術文献】
【特許文献】
【０００６】
【特許文献１】特開２０００−２７８３５２号公報（図８）
【特許文献２】特開２０００−１５２１３０号公報（図１〜図４）
【発明の概要】
【発明が解決しようとする課題】
【０００７】
従来の映像装置システムの構成図では、ＬＶＤＳが1対1の接続のため、各ユニット制御基板２１にそれぞれ入力回路２１５と出力回路２１６が必要であり、そのため、前段のユニット制御基板２１のＬＶＤＳ伝送用ケーブル５が外れると、それ以降のユニット制御基板２１の映像伝送が途絶えてしまう問題があった。
また、ユニット制御基板２１でＬＶＤＳ伝送でのＩＮ−ＯＵＴを繰り返すと、後段のユニット制御基板２１になるほど、伝送遅延が大きくなる問題もあった。
更に、ＬＶＤＳで伝送する信号は、映像系（Ｒ・Ｇ・Ｂの映像データ、垂直同期信号、水平同期信号、及びデータ・イネーブル信号）の信号のみであるため、スクリーンを制御する輝度やクリア等のコマンドはＬＶＤＳとは別系統で伝送する必要があった。
【０００８】
この発明は、上記のような課題を解決するためになされたものであり、コントローラとスクリーン間の映像伝送をＬＶＤＳ信号によりバスで行うと共に、このバスを用いて映像系の信号の他にスクリーンを制御する映像制御データを多重して伝送することにより、映像伝送の信頼性の向上と、コントローラとスクリーン間の伝送用信号線の省力化を図ることを目的とした映像装置を提供するものである。
【課題を解決するための手段】
【０００９】
この発明に係る映像装置は、入力した映像信号に対して所定の処理を行った映像データを出力するコントローラと、コントローラからの映像データに基づき映像を表示する複数のユニット制御基板と複数の表示ユニットからなるスクリーンで構成された映像装置において、コントローラは映像信号を低電圧差動シグナリング（ＬＶＤＳ）信号としてスクリーンに出力するＬＶＤＳインタフェース出力回路を内蔵し、スクリーンの複数のユニット制御基板はコントローラのＬＶＤＳインタフェース出力回路とそれぞれバスで接続されたＬＶＤＳ信号によりバスで行う入力回路を内蔵し、ＬＶＤＳインタフェース出力回路はＬＶＤＳインタフェース入力回路に対して、バスを介して垂直同期信号、水平同期信号、データ・イネーブル信号、複数ビットの映像データと、映像データとは別の映像制御データを多重化して伝送するようにしたものである。
【発明の効果】
【００１０】
この発明によれば、コントローラとスクリーン間の映像伝送をＬＶＤＳ信号によりバスで行うようにしたので、スクリーンを構成するユニット制御基板はＬＶＤＳインタフェース入力回路のみの実装でよく、ユニット制御基板の回路規模とサイズを縮小化することができる。また、前段にあたるユニット制御基板を取り外しても、それ以降のユニット制御基板の映像伝送に影響を与えず、映像伝送の信頼性を向上した映像装置を得ることができる。
さらに、コントローラとスクリーン間を接続するバスによりＬＶＤＳ信号で映像データとは別の映像制御データを多重化して伝送することでコントローラとスクリーン間の伝送用信号線を省力化することができる。
【図面の簡単な説明】
【００１１】
【図１】この発明の実施の形態１に係る映像装置のシステム構成図である。
【図２】この発明の実施の形態１に係る映像装置で伝送する信号フォームを示す図である。
【図３】この発明の実施の形態２に係る映像装置で伝送する信号フォームを示す図である。
【図４】この発明の実施の形態３に係る映像装置で伝送する信号フォームを示す図である。
【図５】従来の映像装置のシステムの構成図である。
【発明を実施するための形態】
【００１２】
実施の形態１．
以下、この発明の実施の形態１の映像装置を図１および図２に基づいて説明する。図１はこの発明の実施の形態１である映像装置のシステム構成図、図２は映像装置で伝送する信号フォームを示す図である。
【００１３】
図１において、この発明に係る映像装置は、ＤＶＩ（Digital Visual Interface）やＳＤＩ（Sirial Digital Interface）などの様々なフォーマットの映像信号（デジタルあるいはアナログ）を入力し、映像の切り取りや拡大／縮小といった画像処理を実施した後に、特定の範囲に分割して映像データを出力することができコントローラ1と、コントローラ1からの映像データに基づき映像を表示する複数のユニット制御基板２１と複数の表示ユニット２２からなるスクリーン２と、コントローラ1とスクリーン２間を接続してＬＶＤＳ信号を伝送するバス３で構成されている。
ここでバス３とは、複数の信号線で同時に複数ビットのデータを転送するパラレル転送方式でデータを伝送することができる信号線である。
【００１４】
コントローラ１は映像信号を低電圧差動シグナリング（ＬＶＤＳ）信号としてスクリーン２に出力するＬＶＤＳインタフェース出力回路１１を内蔵し、コントローラ１内で入力した映像信号に対して所定の処理を行った映像データをＬＶＤＳ信号としてスクリーン２に出力するようになっている。また、スクリーン２の複数のユニット制御基板２１はコントローラ１のＬＶＤＳインタフェース出力回路１１とそれぞれバス３で接続されたＬＶＤＳインタフェース入力回路２１１を内蔵し、ＬＶＤＳインタフェース出力回路１１から出力されたＬＶＤＳ信号を受信するようになっている。
【００１５】
スクリーン２の複数のユニット制御基板２１は、複数の表示ユニット２２と信号を送受信するユニット・インタフェース回路２１２を内蔵しており、ＬＶＤＳインタフェース入力回路２１１で受信したＬＶＤＳ信号を、ユニット制御基板２１内で元の映像信号に変換処理した信号を各表示ユニット２２に出力するようになっている。
【００１６】
なお、ＬＶＤＳインタフェース出力回路１１は、図２で詳しく説明するが、各ＬＶＤＳインタフェース入力回路２１１に対して、バス３を介して垂直同期信号、水平同期信号、データ・イネーブル信号、複数ビットの映像データからなる通常のＬＮＤＳ信号の映像伝送の他に、更に映像データとは別のコマンド情報などの映像制御データを多重化して伝送するようにしている。
【００１７】
図２はコントローラ１とスクリーン２間でＬＶＤＳ信号としてバス３を経由して伝送される信号フォームを示す図であり、以下、この図２に基づいて説明する。
図２に示すように、コントローラ１のＬＶＤＳインタフェース出力回路１１からは、バス３により、垂直同期信号ＳＶと、水平同期信号ＳＨと、データ・イネーブル信号ＤＥと、複数ビットのデータＤを多重化して伝送している。複数ビットのデータＤには、映像データ部の期間に映像データＤｇが、ヘッダー部の期間にコマンド情報の映像制御データＤｃが含まれている。
【００１８】
映像制御データＤｃのコマンド情報には、スクリーン２の映像の明るさを変化させる輝度情報ＢＲ０〜ＢＲ５と、スクリーン２が映像出力をＯＮまたはＯＦＦするクリア・コマンドＣＬＲを含んでいる。
図２においては、垂直同期信号ＳＶが１ビット、水平同期信号ＳＨが１ビット、データ・イネーブル信号ＤＥが１ビット、複数ビットのデータＤが８ビットの、合計１１ビットのデータとなっている。
【００１９】
このように構成された映像装置では、コントローラ１から送信されるデータは、バス形式でスクリーン２内の複数のユニット制御基板２１で受信される。そのため、ユニット制御基板２１では、ＬＶＤＳにおけるインタフェース出力回路が不要であり、ユニット制御基板２１の回路規模とサイズを縮小化することができる。また、前段のユニット制御基板２１のＬＶＤＳ伝送用のバス３が外れても、それ以降のユニット制御基板２１の映像伝送には全く影響せず、映像伝送の信頼性も向上する。更に、ユニット制御基板２１において、ＬＶＤＳ伝送のＩＮ−ＯＵＴによる伝送遅延が発生しない。
【００２０】
また、図２の信号フォームでは、垂直同期信号ＳＶのアクティブ期間内にデータ・イネーブル信号ＤＥをアクティブにすることにより、映像データＤｇとは別のコマンド情報などの映像制御データＤｃを多重して伝送することができる。
即ち、映像制御データＤｃは、垂直同期信号ＳＶとデータ・イネーブル信号ＤＥの組み合わせで判別されたヘッダー部と映像データ部のうち、ヘッダー部に含ませて伝送するようにする。
こうして映像情報を伝送するＬＶＤＳ信号とは別系統で伝送していた輝度情報ＢＲ０〜ＢＲ５やクリア・コマンドＣＬＲを、多重する別のデータとして伝送することで、コントローラ１とスクリーン２間の伝送用信号線の数を削減できる。
【００２１】
実施の形態２．
次に、この発明の実施の形態２の映像装置を図３に基づいて説明する。図３はこの発明の実施の形態２によるコントローラ１とスクリーン２間でバス３を経由して伝送される信号フォームを示す図である。
【００２２】
実施の形態２による発明は、映像制御データＤｃのコマンド情報として、輝度情報ＢＲ０〜ＢＲ５やクリア・コマンドＣＬＲの他に、映像規格情報であるＰＡＬ（Phase Alternating Line）情報を伝送し、垂直同期信号ＳＶ自体の周波数情報をコントローラ１からスクリーン２へ送るようにしたものである。
例えば、ＰＡＬ情報が「０」の時は映像更新周期が５９．９４ＨｚのＮＴＳＣ規格、ＰＡＬ情報が「１」の時は映像更新周期が５０ＨｚのＰＡＬ規格で動作することができ、コントローラ１で垂直同期信号ＳＶ自体の周波数を切り替えた際、スクリーン２は瞬時に周波数切り替えに対応することができる。
【００２３】
なお上記の場合は、デフォルトはＮＴＳＣ（National Television Standards Committee）規格で動作しているため、ＰＡＬ情報を伝送するようにしているが、デフォルトがＰＡＬ規格で動作している場合は、ＰＡＬ情報に代えてＮＴＳＣ情報を伝送するようにしてもよい。
要するに映像制御データには、ＰＡＬ規格またはＮＴＳＣ規格の映像規格情報を含み、映像規格情報に従ってユニット制御基板２１が情報映像を更新するようにする。
【００２４】
以上のように実施の形態２の発明は、垂直同期信号ＳＶのアクティブ期間、かつデータ・イネーブル信号ＤＥのアクティブ期間に伝送する情報として、映像規格情報を伝送し、垂直同期信号ＳＶ自体の周波数情報をコントローラ１からスクリーン２へ送ることで、コントローラ１で垂直同期信号ＳＶ自体の周波数を切り替えた際、スクリーン２は瞬時に周波数切り替えに対応することができる。
【００２５】
実施の形態３．
次に、この発明の実施の形態３の映像装置を図４に基づいて説明する。図４はこの発明の実施の形態３によるコントローラ１とスクリーン２間でバス３を経由して伝送される信号フォームを示す図である。
【００２６】
実施の形態３による発明は、映像制御データＤｃのコマンド情報として、輝度情報ＢＲ０〜ＢＲ５やクリア・コマンドＣＬＲや、映像規格情報ＰＡＬの他に、表示ユニット２２に表示される画面の大きさを可変するためのＸワード情報とＹライン情報を伝送するようにしたものである。
図４に示すように、映像制御データＤｃのコマンド情報として、Ｘワード情報Ｘ０〜Ｘ１０（映像制御データＤｃの第２、３データ）とＹライン情報Ｙ０〜Ｙ１０（映像制御データＤｃの第４、５データ）を伝送する。
【００２７】
例えば、横（Ｘ）：５１２、縦（Ｙ）：２５６の矩形の映像を伝送する場合、Ｘワード情報、Ｙライン情報として以下を設定する。
Ｘワード情報  Ｘ１０−Ｘ０：  ０１０００００００００
Ｙライン情報  Ｙ１０−Ｙ０：  ００１００００００００
この時、伝送出力側は、上記設定に合わせ、データ・イネーブル信号ＤＥのＨｉｇｈ期間を５１２ワードの期間、垂直同期信号ＳＶの映像データ部期間内のデータ・イネーブル信号ＤＥ数を２５６にし、かつ、映像データＤｇを横５１２、縦２５６の矩形の映像として伝送する。
【００２８】
別の例として、横（Ｘ）：１２８、縦（Ｙ）：１０２４の矩形の映像を伝送する場合、Ｘワード情報、Ｙライン情報として以下を設定する。
Ｘワード情報  Ｘ０−Ｘ１０：  ０００１０００００００
Ｙライン情報  Ｙ１０−Ｙ０：  １００００００００００
この時、伝送出力側は、上記設定に合わせ、データ・イネーブル信号ＤＥのＨｉｇｈ期間を１２８ワードの期間、垂直同期信号ＳＶの映像データ部期間内のデータ・イネーブル信号ＤＥ数を１０２４にし、かつ、映像データＤｇを横１２８、縦１０２４の矩形の映像として伝送する。
【００２９】
以上のように実施の形態３の発明は、垂直同期信号ＳＶのアクティブ期間、かつデータ・イネーブル信号ＤＥのアクティブ期間に伝送する情報として、Ｘワード情報とＹライン情報を伝送し、バス３で伝送する映像データの矩形情報をコントローラ１からスクリーン２へ送ることにより、バス３で伝送可能な映像データ範囲内において、可変サイズのスクリーンに対応することができる。
【００３０】
なおこの発明は、その発明の範囲内において、各実施の形態を自由に組み合わせたり、各実施の形態を適宜、変形、省略することが可能である。
【符号の説明】
【００３１】
１：コントローラ、    ２：スクリーン、    バス：３
１１：ＬＶＤＳインタフェース出力回路、  ２１：ユニット制御基板、
２２：表示ユニット、    ２１１：ＬＶＤＳインタフェース入力回路、
２１２：ユニット・インタフェース回路
ＳＶ：垂直同期信号、  ＳＨ：水平同期信号、  ＤＥ：データ・イネーブル信号、
Ｄ：データ、  Ｄｇ：映像データ、  Ｄｃ：映像制御データ（コマンド情報）。
【図１】
2015090461.tif 000003
【図２】
2015090461.tif 000004
【図３】
2015090461.tif 000005
【図４】
2015090461.tif 000006
【図５】
2015090461.tif 000007